(57)【要約】【課題】天然木の美しい節目模様が現れた装飾性に優れた木製の箸を提案すること。【解決手段】箸１は、先端側軸部分２と後端側軸部分３を同軸状態に連結固定して製作されている。先端側軸部分２はカシ、クリなどの堅い天然木から製作したものであり、後端側軸部分３は桧の節部分から切り出した２本の節片５、６を接着剤により貼り合わせて製作したものである。節片５、６は、それらの貼り合せ面５ａ、６ａに現れる木目の方向が異なる方向のものであり、これらを貼り合わせることにより、割れ、折れが防止される。節目模様が後端側軸部分３に現れ、先端側軸部分は耐久性のある天然木からなるので、装飾性および耐久性に優れた木製の箸を実現できる。【選択図】図１
2010259625.tif 000002
【特許請求の範囲】
【請求項１】
所定長さの木製軸部分を有しており、
この木製軸部分は、天然木の節部分から切り出した複数の節片を貼り合わせて構成されており、
各節片の貼り合せ面に現れる木目の方向が異なる方向となっていることを特徴とする箸。
【請求項２】
先端側軸部分と、この先端側軸部分の後端に連結固定した後端側軸部分とを有しており、
前記後端側軸部分が前記節片を貼り合わせて構成した前記木製軸部分であることを特徴とする請求項１に記載の箸。
【請求項３】
前記木製軸部分は、三角形断面の一対の前記節片を貼り合わせて形成した矩形断面のものであることを特徴とする請求項１または２に記載の箸。
【請求項４】
前記木製軸部分は桧の節部分から切り出した前記節片を貼り合わせて形成したものであることを特徴とする請求項１ないし３のうちのいずれかの項に記載の箸。
【請求項５】
前記先端側軸部分は、桧よりも堅いカシ、ナラ、クリなどの天然木素材からなることを特徴とする請求項４に記載の箸。
【請求項６】
前記後端側軸部分の表面はウレタン塗装などの透明な塗膜で覆われており、
前記先端側軸部分の表面には漆の塗膜で覆われていることを特徴とする請求項５に記載の箸。
【発明の詳細な説明】
【技術分野】
【０００１】
本発明は桧などの天然木の節を用いて製作した装飾性に優れた箸に関する。
【背景技術】
【０００２】
桧などの天然素材を利用した木製の箸が知られている。特許文献１には、木、竹等からなる箸に人体に無害な漆を塗布した箸が提案されている。また、特許文献２には、桧などの天然素材から形成した箸本体の先端側の部分のみに漆を塗り、後端側の部分は地肌を露出させたままとして、天然素材の感触および滑りのない良好なグリップ感を得ることのできる箸が提案されている。
【先行技術文献】
【特許文献】
【０００３】
【特許文献１】特開平０７−１１６０４９号公報
【特許文献２】実用新案登録第３０９８８９０号公報
【発明の概要】
【発明が解決しようとする課題】
【０００４】
ここで、天然木を用いて箸を製作する場合、天然木の木目を箸の表面に現れるようにすれば装飾性の高い箸が得られるので好ましい。特に、天然木の節目は多様な木目模様が現れているので極めて装飾性に優れているので、たとえば桧の節を用いて箸を製作することが考えられる。
【０００５】
しかしながら、天然木の節の部分は他の部分に比べて脆いので、箸に用いた場合は割れなどが発生しやすく、また、折れやすいので耐久性に乏しいという問題点がある。
【０００６】
また、桧を用いて箸を製作した場合には、桧はカシ、ナラ、クリなどの天然木に比べて柔らかいので、箸の素材として用いるには耐久性に乏しいという問題点がある。
【０００７】
本発明の課題は、このような点に鑑みて、天然木の節目を利用して、装飾性に優れ、しかも耐久性のある箸を提案することにある。
【課題を解決するための手段】
【０００８】
上記の課題を解決するために、本発明の箸は、その一部が、天然木の節から切り取った木片を貼り合わせた構成となっていることを特徴としている。すなわち、箸の一部を木製軸部分とし、この木製軸部分を、天然木の節部分から切り出した複数の節片を貼り合わせて構成している。また、各節片の貼り合せ面に現れる木目の方向が異なる方向となるように各節片を切り取り、これらを貼り合わせるようにしている。
【０００９】
木製軸部分は、天然木の美しい節目が現れるので、装飾性に優れた箸を得ることができる。また、複数の節片を貼り合わせてあるので、折れ、割れの発生しにくい耐久性のある箸を得ることができる。
【００１０】
ここで、節から製作した木製軸部分は、箸の先端および後端の間の中間部分に配置することも可能であるが、箸の先端側の部分は強度および耐久性が要求されるので、箸を先端側軸部分と後端側軸部分の二つの部分から形成し、後端側軸部分を節片を貼り合わせた装飾性に優れた節目の現れる部分とし、先端側軸部分は強度および耐久性に優れた素材（木、プラスチック、金属など）から形成することが望ましい。
【００１１】
また、節からなる木製軸部分は、一対の節を留め加工して製作することが望ましい。すなわち、木製軸部分（後端側軸部分）を、三角形断面の一対の節片を貼り合わせて形成した矩形断面のものとすることが望ましい。このようにすれば、貼り合わせ部分の面積を広くできるので当該木製軸部分の耐久性を高めることができる。また、貼り合わせ位置が矩形断面の角に位置するので、貼り合わせ位置が目立たず、その外観を装飾性に優れたものにできる。
【００１２】
この構成の節からなる木製軸部分（後端側軸部分）は、桧の節を使用して製作することができる。
【００１３】
また、強度および耐久性が要求される箸の先端側軸部分は、桧よりも堅いカシ、ナラ、クリなどの天然木素材から製作することが望ましい。
【００１４】
さらに、節からなる後端側軸部分は、その表面に現われている美しい節目が隠れないように、ウレタン塗装などの透明な塗膜で覆い、先端側軸部分の表面は漆の塗膜で覆うことにより上質感を出すことが望ましい。
【発明の効果】
【００１５】
本発明の箸では、その後端側軸部分などが桧などの天然木の節部分から切り出した節片を貼り合わせることにより製作されている。したがって、天然木の節目の美しさが表面に現れた装飾性に優れた箸を得ることができる。また、複数の節片を貼り合わせてあるので、折れ、割れなどが発生することがないので、耐久性に優れた装飾性の高い箸を得ることができる。
【図面の簡単な説明】
【００１６】
【図１】（ａ）は本発明を適用した１本の木製の箸を示す斜視図、（ｂ）は箸の先端側軸部分と後端側軸部分を切り離した状態を示す分解斜視図、（ｃ）は箸の後端側軸部分の横断面図、および、（ｄ）は箸の先端側軸部分の横断面図である。
【図２】図１の箸の後端側軸部分の分解斜視図である。
【図３】本発明を適用した箸の別の例を示す説明図である。
【発明を実施するための形態】
【００１７】
以下に、図面を参照して、本発明を適用した箸の実施の形態を説明する。
【００１８】
図１に示すように、本実施の形態に係る木製の箸１は矩形断面をした全体として細長い直線状の箸であり、後端側から先端側に向けて矩形断面が漸減して先細り形状のものである。
【００１９】
この箸１は、その全長の略２／３の長さの先端側軸部分２と、残りの後端側軸部分３とを同軸状態に連結固定した構造となっている。先端側軸部分２は、たとえば、カシ、ナラ、クリなどの桧よりも堅い天然木素材から製作した部分である。図１（ｄ）に示すように、先端側軸部分２は１本の矩形断面の天然木片から製作されており、その表面は漆の塗膜４で覆われている。
【００２０】
後端側軸部分３は桧の節部分から製作した部分であり、図１（ｃ）に示すように矩形断面を二分割した２個の同一形状の直角二等辺三角形断面の節片５、６の貼り合せ面５ａ、６ａを相互に接着剤７によって貼り合わせた構造となっている。後端側軸部分３の表面はウレタン塗装などの透明な塗膜８によって覆われている。
【００２１】
ここで、図２を参照して説明すると、節片５、６は、桧材における同一の節部分の異なる部位から切り出したもの、あるいは、異なる節部分から切り出したものである。これらの節片５、６の貼り合せ面５ａ、６ａに現れる木目（年輪）の方向が、貼り合わせた状態において相互に異なる方向となるように切り出してある。したがって、貼り合せ面５ａ、６ａ以外の側面５ｂ、５ｃおよび後端面５ｄ、並びに、側面６ｂ、６ｃおよび後端面６ｄに現れる木目も貼り合わせた状態においては相互に異なる模様を呈する。
【００２２】
後端側軸部分３の先端面３ａは、図１（ｂ）に示すように、先端側軸部分２の後端面２ｂに対して、接着剤、および、ホゾなどの機械的な係合を介して、同軸状態に連結固定されている。
【００２３】
このように構成した箸１では、先端側軸部分２は堅い天然木素材からなり、その表面に漆の塗膜４が形成されているので、強度および耐久性に優れている。これに対して、後端側軸部分３は桧の節部分から切り出した２本の節片５、６を貼り合わせた構成となっており、異なる節目模様の美しさがそのまま表面に現われて装飾性に優れた部分となっている。
【００２４】
また、この後端側軸部分３は２本の節片５、６を貼り合わせたものであるで、節特有の脆さが無い。特に、その貼り合せ面５ａ、６ａの木目の方向が相互に異なっているので、折れ、割れなどが発生しない。これに加えて、２本の節片５、６を、いわゆる、留め加工してあるので、その貼り合わせ部分が矩形断面の対角線方向の両側の角に位置し、一見しただけでは貼り合わせたことが分からないので、装飾性の点からも好ましい。
【００２５】
（その他の実施の形態）
上記の実施の形態では、箸が先端側軸部分と後端側軸部分の２分割構成となっている。この代わりに、図３（ａ）に示すように、箸１０を先端側軸部分１１、中間軸部分１２および後端側軸部分１３の３分割構成とすることも可能である。この場合には、後端側軸部分１３を節片を貼り合わせた構造とし、中間軸部分１２および先端側軸部分１１を１本の同一種類あるいは異なる種類の木材片から製作することができる。勿論、各軸部分１１〜１３をすべて節片を貼り合わせた構造の部分とすることも可能であり、後端側軸部分１３および中間軸部分１２のみを節片を貼り合わせた構造とすることも可能である。また、箸を軸方向の４分割以上に多分割した構造とすることも可能である。
【００２６】
上記の実施の形態では、箸の断面形状が矩形断面であるが、矩形断面以外の断面形状にしてもよいことは勿論である。例えば、図３（ｂ）に示すように円形断面にすることができ、その他、楕円形、多角形の断面にすることができる。
【００２７】
上記の実施の形態では、２本の節片を貼り合わせて後端側軸部分を製作しているが、３本以上の節片を貼り合わせて軸部分を製作することも可能である。たとえば、図３（ｂ）に示すように３本の節片２１、２２、２３を貼り合わせて、箸の一部となる円形断面の木製軸部分を製作することも可能である。
【００２８】
上記の実施の形態では、先端側軸部分を天然木から製作しているが、プラスチック、金属などのその他の素材から製作することも可能である。また、桧製の節片を用いているが、桧以外の天然木の節部分から切り出した節片を用いることも可能である。
【符号の説明】
【００２９】
１    箸
２    先端側軸部分
３    後端側軸部分
４    漆の塗膜
５、６  節片
５ａ、６ａ  貼り合せ面
５ｂ、５ｃ、６ｂ、６ｃ  側面
５ｄ、６ｄ  後端面
７    接着剤
８    ウレタン樹脂の塗膜
１０  箸
１１  先端側軸部分
１２  中間軸部分
１３  後端側軸部分
２１、２２、２３  節片
【図２】
2010259625.tif 000003
【図３】
2010259625.tif 000004
【図１】
2010259625.tif 000005